(57)【要約】【課題】ハンドオーバー実行による無線通信装置の操作性を向上させること。【解決手段】端末装置と、第１無線通信装置と、第２無線通信装置とを備えた無線通信システムにおいて、第１無線通信装置は、ハンドオーバーにより第２無線通信装置と無線通信を行なっている際に、第２無線通信装置との所定の処理が完了した場合には、第１切断情報を第２無線通信装置へ送信させて第２無線通信装置との接続を切断し、第２無線通信装置は、ハンドオーバーする際に端末装置と接続している場合には、無線ＬＡＮ接続情報を記憶した後、第１無線通信装置との無線ＬＡＮ通信を行い、第１切断情報を受信した場合には、第１無線通信装置との接続を切断して、無線ＬＡＮ接続情報に基づいて、端末装置と接続する、無線通信システム。【選択図】図６
2010283485.tif 000002
【特許請求の範囲】
【請求項１】
ネットワーク中に存在する端末装置と、第１無線通信装置と、第２無線通信装置と、を備えた無線通信システムにおいて、
前記第１無線通信装置は、
前記端末装置又は前記第２無線通信装置と無線通信を行なう第１無線部と、
前記第２無線通信装置と近距離無線通信を行なう第２無線部と、
前記第２無線通信装置との通信を第２無線部による近距離無線通信で行なった後に前記第１無線部による無線通信に引き継いで行なっている際、前記第２無線通信装置との所定の処理が完了した場合には、当該第２無線通信装置との接続を切断することを示す第１切断情報を前記第１無線部から当該第２無線通信装置へ送信させ、当該第２無線通信装置と前記第１無線部との接続を切断させる第１制御部と、
を有し、
前記第２無線通信装置は、
前記端末装置又は前記第１無線通信装置と無線通信を行なう第３無線部と、
前記第１無線通信装置と近距離無線通信を行なう第４無線部と、
前記端末装置と接続するための接続情報を記憶する記憶部と、
前記第１無線通信装置との通信を前記第４無線部による近距離無線通信で行なった後に前記第３無線部による無線通信に引き継いで行なう際、前記第３無線部が前記端末装置と接続している場合には、当該第３無線部が接続している当該端末装置と接続するための接続情報を前記記憶部に記憶させた後、前記第１無線通信装置との無線通信を前記第４無線部から前記第３無線部に引き継がせ、
前記第３無線部が前記第１無線通信装置との無線通信を行なっている際、前記第３無線部が前記第１無線通信装置から前記第１切断情報を受信した場合には、当該第１無線通信装置と前記第３無線部との接続を切断させ、前記記憶部に記憶されている前記接続情報に基づいて、前記第３無線部を前記端末装置に接続させる第２制御部と、
を有すること、
を特徴とする無線通信システム。
【請求項２】
前記所定の処理は、
前記第２無線通信装置へ送信すべき予め設定されたデータの送信処理であること、
を特徴とする請求項１に記載の無線通信システム。
【請求項３】
前記第２制御部は、
前記第１無線通信装置との無線通信を前記第４無線部から前記第３無線部に引き継がせた後、前記第１無線通信装置と前記第３無線部とが接続可能な予め設定された時間を示す第１接続可能時間を前記第３無線部から前記第１無線通信装置に送信させ、
前記第１制御部は、
前記第１無線部が前記第２無線通信装置から前記第１接続可能時間を受信した場合、前記第１接続可能時間の計時を開始し、前記第２無線通信装置との通信を前記第１無線部による無線通信で行なっている際に前記第１接続可能時間が経過した場合には、前記所定の処理が完了したと判別すること、
を特徴とする請求項１又は２に記載の無線通信システム。
【請求項４】
前記第１制御部は、
前記第２無線通信装置との無線通信を前記第２無線部から前記第１無線部に引き継がせた後、前記第１無線部が前記第２無線通信装置と接続可能な予め設定された時間を示す第２接続可能時間の計時を開始し、前記第２無線通信装置との通信を前記第１無線部による無線通信で行なっている際に前記第２接続可能時間が経過した場合には、前記所定の処理が完了したと判別すること、
を特徴とする請求項１又は２に記載の無線通信システム。
【請求項５】
前記第２制御部は、
前記第３無線部が前記第１無線通信装置から前記第１切断情報を受信していない場合において、前記第１無線通信装置との通信状態に問題が発生した際には、当該第１無線通信装置との接続を切断することを示す第２切断情報を前記第３無線部から当該第１無線通信装置へ送信させ、
前記第１制御部は、
前記第２無線通信装置との所定の処理が完了していない場合において、前記第１無線部が前記第２無線通信装置から前記第２切断情報を受信した場合には、当該第２無線通信装置と前記第１無線部との接続を切断させること、
を特徴とする請求項１から４のいずれか一項に記載の無線通信システム。
【請求項６】
前記第２制御部は、
前記第１無線通信装置との無線通信を前記第４無線部から前記第３無線部に引き継がせた際、前記第４無線部による前記第１無線通信装置との近距離無線通信での接続状態を継続させ、当該第４無線部による前記第１無線通信装置との近距離無線通信が切断状態となった場合には、前記第１無線通信との通信状態に問題が発生したと判別すること、
を特徴とする請求項５に記載の無線通信システム。
【請求項７】
前記第２制御部は、
前記第３無線部による前記第１無線通信装置との無線通信が切断状態となった場合には、前記第１無線通信との通信状態に問題が発生したと判別すること、
を特徴とする請求項５に記載の無線通信システム。
【請求項８】
前記第１無線通信装置は、
前記第２無線通信装置と前記第１無線部との接続が切断されることを示す第１切断報知情報を表示する第１表示部と、
前記第２無線通信装置と前記第１無線部との接続の切断を承認することを示す切断承認指示の入力を受け付ける第１入力部と、
を備え、
前記第１制御部は、
当該第２無線通信装置と前記第１無線部との接続を切断させる際、前記第１表示部に前記第１切断報知情報を表示させ、前記第１入力部により前記切断承認指示が入力された場合には、当該第２無線通信装置と前記第１無線部との接続を切断させること、
を特徴とする請求項１から７のいずれか一項に記載の無線通信システム。
【請求項９】
前記第２無線通信装置は、
前記第１無線通信装置と前記第３無線部との接続が切断されたことを示す第２切断報知情報を表示する第２表示部と、
前記第１無線通信装置と前記第３無線部との接続が切断されたことを確認したことを示す切断確認指示の入力を受け付ける第２入力部と、
を備え、
前記第２制御部は、
当該第１無線通信装置と前記第３無線部との接続を切断した際、前記第２表示部に前記第２切断報知情報を表示させ、前記第２入力部により前記切断確認指示が入力された場合には、前記記憶部に記憶されている前記接続情報に基づいて前記第３無線部を前記端末装置に接続させること、
を特徴とする請求項１から８のいずれか一項に記載の無線通信システム。
【発明の詳細な説明】
【技術分野】
【０００１】
本発明は、無線通信システムに関する。
【背景技術】
【０００２】
近年、データを送信する側の無線通信装置（イニシエータ）と、当該データを受信する側の無線通信装置（ターゲット）との間で、無線通信が行われる場合、通信距離によって異なる通信方式が用いられている。そして、このように通信距離によって異なる通信方式を切り替えてデータを送受信する技術が開示されている。特に、ＮＦＣ（Near Field Communication）のような近距離無線通信を用いて認証を行い、他の通信方式の無線通信にて通信を引き継ぐハンドオーバーの技術が注目されている。
【０００３】
例えば、第１の通信装置（例えば、ビデオカメラ）が、第２の通信装置（例えば、リモートコマンダ）との間でＮＦＣによる通信を行い、ＮＦＣによる通信によって第２の通信装置から第３の通信装置（例えば、テレビジョン受像器）の利用可能プロトコル情報（Bluetooth（登録商標）を表すメディアコード）及び通信情報（ＢＴアドレス）を取得し、第３の通信装置との間で、通信情報に基づき利用可能プロトコル情報が示す通信プロトコルで通信を行う通信システムが開示されている（特許文献１参照）。
【０００４】
また、ＨＤ（Hard Disk）レコーダが、中継器を介してＴＶ（television）からＮＦＣ通信によってＴＶの通信機能リストを取得する。そして、ＨＤレコーダが、通信機能リストを基にＮＦＣ通信以外の通信手段でコンテンツデータの要求をＴＶに送信する。ＴＶが、ＨＤレコーダの認証後、コンテンツデータをコンテンツデータの要求がなされたのと同一の通信手段で送信する。という通信システムが開示されている（特許文献２参照）。
【先行技術文献】
【特許文献】
【０００５】
【特許文献１】特開２００７−７４８９８号公報
【特許文献２】特開２００７−９７０２２号公報
【発明の概要】
【発明が解決しようとする課題】
【０００６】
しかしながら、例えば、ＮＦＣ及び無線ＬＡＮ（Local Area Network）の両方で無線通信が可能なＰＣ（Personal Computer）及びデジタルカメラにおいて、無線ＬＡＮを介してインターネットに接続しているＰＣ（Personal Computer）に、デジタルカメラをＮＦＣによるハンドオーバーを利用して無線ＬＡＮで接続し、画像データを転送しようとした場合、ＰＣはインターネットと切断されデジタルカメラと接続されることが考えられる。
【０００７】
この場合、デジタルカメラからＰＣへの画像データの転送終了後や、画像データの転送中にデジタルカメラが無線ＬＡＮの接続範囲から離れた場合、或は、妨害電波や雑音の発生で無線ＬＡＮの接続が途絶えてしまった場合において、ＰＣがハンドオーバー前のインターネット接続状態に戻るか否かは規定されていない。
【０００８】
それ故、ハンドオーバーによってデータが転送される無線通信装置の状態を、ハンドオーバー実行後にハンドオーバー実行前の状態に戻す手間がかかり、使い勝手のよいものではないという問題がある。
【０００９】
本発明の課題は、上記問題に鑑みて、ハンドオーバー実行による無線通信装置の操作性を向上させることである。
【課題を解決するための手段】
【００１０】
以上の課題を解決するため、請求項１記載の発明は、ネットワーク中に存在する端末装置と、第１無線通信装置と、第２無線通信装置と、を備えた無線通信システムにおいて、前記第１無線通信装置は、前記端末装置又は前記第２無線通信装置と無線通信を行なう第１無線部と、前記第２無線通信装置と近距離無線通信を行なう第２無線部と、前記第２無線通信装置との通信を第２無線部による近距離無線通信で行なった後に前記第１無線部による無線通信に引き継いで行なっている際、前記第２無線通信装置との所定の処理が完了した場合には、当該第２無線通信装置との接続を切断することを示す第１切断情報を前記第１無線部から当該第２無線通信装置へ送信させ、当該第２無線通信装置と前記第１無線部との接続を切断させる第１制御部と、を有し、前記第２無線通信装置は、前記端末装置又は前記第１無線通信装置と無線通信を行なう第３無線部と、前記第１無線通信装置と近距離無線通信を行なう第４無線部と、前記端末装置と接続するための接続情報を記憶する記憶部と、前記第１無線通信装置との通信を前記第４無線部による近距離無線通信で行なった後に前記第３無線部による無線通信に引き継いで行なう際、前記第３無線部が前記端末装置と接続している場合には、当該第３無線部が接続している当該端末装置と接続するための接続情報を前記記憶部に記憶させた後、前記第１無線通信装置との無線通信を前記第４無線部から前記第３無線部に引き継がせ、前記第３無線部が前記第１無線通信装置との無線通信を行なっている際、前記第３無線部が前記第１無線通信装置から前記第１切断情報を受信した場合には、当該第１無線通信装置と前記第３無線部との接続を切断させ、前記記憶部に記憶されている前記接続情報に基づいて、前記第３無線部を前記端末装置に接続させる第２制御部と、を有する無線通信システムであること、を特徴としている。
【００１１】
請求項２記載の発明は、請求項１に記載の無線通信システムにおいて、前記所定の処理は、前記第２無線通信装置へ送信すべき予め設定されたデータの送信処理であること、を特徴としている。
【００１２】
請求項３記載の発明は、請求項１又は２に記載の無線通信システムにおいて、前記第２制御部は、前記第１無線通信装置との無線通信を前記第４無線部から前記第３無線部に引き継がせた後、前記第１無線通信装置と前記第３無線部とが接続可能な予め設定された時間を示す第１接続可能時間を前記第３無線部から前記第１無線通信装置に送信させ、前記第１制御部は、前記第１無線部が前記第２無線通信装置から前記第１接続可能時間を受信した場合、前記第１接続可能時間の計時を開始し、前記第２無線通信装置との通信を前記第１無線部による無線通信で行なっている際に前記第１接続可能時間が経過した場合には、前記所定の処理が完了したと判別すること、を特徴としている。
【００１３】
請求項４記載の発明は、請求項１又は２に記載の無線通信システムにおいて、前記第１制御部は、前記第２無線通信装置との無線通信を前記第２無線部から前記第１無線部に引き継がせた後、前記第１無線部が前記第２無線通信装置と接続可能な予め設定された時間を示す第２接続可能時間の計時を開始し、前記第２無線通信装置との通信を前記第１無線部による無線通信で行なっている際に前記第２接続可能時間が経過した場合には、前記所定の処理が完了したと判別すること、を特徴としている。
【００１４】
請求項５記載の発明は、請求項１から４のいずれか一項に記載の無線通信システムにおいて、前記第２制御部は、前記第３無線部が前記第１無線通信装置から前記第１切断情報を受信していない場合において、前記第１無線通信装置との通信状態に問題が発生した際には、当該第１無線通信装置との接続を切断することを示す第２切断情報を前記第３無線部から当該第１無線通信装置へ送信させ、前記第１制御部は、前記第２無線通信装置との所定の処理が完了していない場合において、前記第１無線部が前記第２無線通信装置から前記第２切断情報を受信した場合には、当該第２無線通信装置と前記第１無線部との接続を切断させること、を特徴としている。
【００１５】
請求項６記載の発明は、請求項５に記載の無線通信システムにおいて、前記第２制御部は、前記第１無線通信装置との無線通信を前記第４無線部から前記第３無線部に引き継がせた際、前記第４無線部による前記第１無線通信装置との近距離無線通信での接続状態を継続させ、当該第４無線部による前記第１無線通信装置との近距離無線通信が切断状態となった場合には、前記第１無線通信との通信状態に問題が発生したと判別すること、を特徴としている。
【００１６】
請求項７記載の発明は、請求項５に記載の無線通信システムにおいて、前記第２制御部は、前記第３無線部による前記第１無線通信装置との無線通信が切断状態となった場合には、前記第１無線通信との通信状態に問題が発生したと判別すること、を特徴としている。
【００１７】
請求項８記載の発明は、請求項１から７のいずれか一項に記載の無線通信システムにおいて、前記第１無線通信装置は、前記第２無線通信装置と前記第１無線部との接続が切断されることを示す第１切断報知情報を表示する第１表示部と、前記第２無線通信装置と前記第１無線部との接続の切断を承認することを示す切断承認指示の入力を受け付ける第１入力部と、を備え、前記第１制御部は、当該第２無線通信装置と前記第１無線部との接続を切断させる際、前記第１表示部に前記第１切断報知情報を表示させ、前記第１入力部により前記切断承認指示が入力された場合には、当該第２無線通信装置と前記第１無線部との接続を切断させること、を特徴としている。
【００１８】
請求項９記載の発明は、請求項１から８のいずれか一項に記載の無線通信システムにおいて、前記第２無線通信装置は、前記第１無線通信装置と前記第３無線部との接続が切断されたことを示す第２切断報知情報を表示する第２表示部と、前記第１無線通信装置と前記第３無線部との接続が切断されたことを確認したことを示す切断確認指示の入力を受け付ける第２入力部と、を備え、前記第２制御部は、当該第１無線通信装置と前記第３無線部との接続を切断した際、前記第２表示部に前記第２切断報知情報を表示させ、前記第２入力部により前記切断確認指示が入力された場合には、前記記憶部に記憶されている前記接続情報に基づいて前記第３無線部を前記端末装置に接続させること、を特徴としている。
【発明の効果】
【００１９】
本発明によれば、ハンドオーバー実行による無線通信装置の操作性を向上させることができる。
【図面の簡単な説明】
【００２０】
【図１】無線通信システムの概略構成図である。
【図２】第１無線通信装置の概略構成図である。
【図３】第１無線部の内部構成図である。
【図４】第２無線部の内部構成図である。
【図５】第２無線通信装置の概略構成図である。
【図６】実施の形態１の第１無線通信装置において実行されるハンドオーバー処理のフローチャートである。
【図７】実施の形態１の第２無線通信装置２において実行されるハンドオーバー処理のフローチャートである。
【図８】実施の形態２の第１無線通信装置１において実行されるハンドオーバー処理のフローチャートである。
【図９】実施の形態２の第２無線通信装置２において実行されるハンドオーバー処理のフローチャートである。
【図１０】実施の形態３の第１無線通信装置１において実行されるハンドオーバー処理のフローチャートである。
【発明を実施するための形態】
【００２１】
以下、図を参照して本発明の実施の形態を詳細に説明する。なお、この発明にはこの実施の形態に限定されるものではない。また、この発明の実施の形態は、発明の最も好ましい形態を示すものであり、この発明の用語はこれに限定されない。
【００２２】
［実施の形態１］
まず、構成を説明する。
図１に、本実施の形態１における無線通信システムＡの概略構成図を示す。
図１に示すように、無線通信システムＡは、第１無線通信装置１と、第２無線通信装置２と、端末装置３とから構成されている。なお、第１無線通信装置１と第２無線通信装置２の構成は同一であってもよい。
【００２３】
本実施の形態における第１無線通信装置１及び第２無線通信装置２は、第１無線通信装置１と第２無線通信装置２との間でＮＦＣ（Near Field Communication）による近距離無線通信やＩＥＥＥ８０２．１１ｂによる無線ＬＡＮ（Local Area Network）で無線通信を行う機能を有する。また、本実施の形態において、端末装置３は、ネットワーク中に存在するアクセスポイントとし、無線ＬＡＮを介して第１無線通信装置１又は第２無線通信装置と接続される。
【００２４】
ＮＦＣは、単一の無線周波数を使用した電磁誘導による近接通信の通信プロトコルである。ＮＦＣで使用される無線周波数としては、例えば、ＩＳＭ帯の１３．５６ＭＨｚ等である。ＮＦＣでは、データを送信する側の装置をイニシエータ、データを受信する側の装置をターゲットと称する。本実施の形態では第１無線通信装置１をイニシエータ、第２無線通信装置をターゲットとする。
【００２５】
図２に、第１無線通信装置１の概略構成図を示す。
図２に示すように、第１無線通信装置１は、制御部１０、記憶部１１、表示部１２、操作部１３、第１無線部１４、第２無線部１５等を備え、各部が電気的に接続されている。
【００２６】
制御部１０は、ＣＰＵ（Central Processing Unit）、ＲＯＭ（Read Only Memory）、ＲＡＭ（Random Access Memory）等を備える。制御部１０は、記憶部１１に記憶されている各種プログラム、各種テーブルやデータ等の中から指定されたプログラム、テーブルやデータを読み出し、ＲＡＭ又は記憶部１１のワークエリアに展開し、上記プログラムとの協働によって各種処理を実行し、その処理結果をＲＡＭ内又は記憶部１１の所定の領域に格納するとともに、第１無線通信装置１内の各部に指示して、第１無線通信装置１の動作全般を統括的に制御する。
【００２７】
また、制御部１０は、記憶部１１に記憶されているハンドオーバー処理プログラムや各種必要なデータ等をＲＯＭ又は記憶部１１から読み出し、ハンドオーバー処理を実行する。ハンドオーバー処理は、第１無線通信装置１が、第２無線部１５によりＮＦＣで第２無線通信装置２と近距離無線通信を行ない、その後、第２無線通信装置２との通信を、第１無線部１４による無線ＬＡＮでの無線通信に引き継いで行うものである。
【００２８】
本実施の形態１における制御部１０は、このハンドオーバー処理により第２無線通信装置２との通信を、第２無線部１５による近距離無線通信で行なった後に第１無線部１４による無線通信に引き継いで行なっている際、第２無線通信装置２との所定の処理が完了した場合には、第１切断情報を第１無線部１４から当該第２無線通信装置２へ送信させ、当該第２無線通信装置２と第１無線部１４との接続を切断させる第１制御部として機能する。
【００２９】
第１切断情報には、第２無線通信装置２との接続を切断することを示す情報が含まれている。更に、本実施の形態１における所定の処理とは、第２無線通信装置２へ送信すべき予め設定されたデータの送信処理とする。
【００３０】
また、制御部１０は、第２無線通信装置２との所定の処理が完了していない場合において、第２無線通信装置２から後述する第２切断情報を受信した場合には、当該第２無線通信装置２と第１無線部１４との接続を切断させる。
【００３１】
更に制御部１０は、ハンドオーバー処理において、第２無線通信装置２と第１無線部１４との接続を切断させる際、表示部１２に後述する第１切断報知情報を表示させ、操作部１３により後述する第１切断指示が入力された場合には、当該第２無線通信装置と前記第１無線部との接続を切断させる。
【００３２】
記憶部１１は、磁気的、光学的記録媒体又は半導体等の電気的に消去及び書き換えが可能な不揮発性メモリで構成されており、第１無線通信装置１に固定的に設けられたもの又は着脱自在に装着されるものである。また、記憶部１１には、制御部１０により実行される各種プログラム及びこれらプログラムで使用される各種テーブルやデータ等が予め記憶されている。
【００３３】
表示部１２は、ＬＣＤ（Liquid Crystal Display）やＥＬ（Electro Luminescence）ディスプレイ等によって構成され、制御部１０から入力される信号に応じて各種情報を表示する。
また、本実施の形態１における表示部１２は、制御部１０からの指示に従って、無線ＬＡＮ接続中断画面を表示する第１表示部として機能する。無線ＬＡＮ接続中断画面には、第２無線通信装置２と第１無線部１４との接続が切断されることを示す第１切断報知情報が表示される。
【００３４】
操作部１３は、テンキーや文字入力キー等の各種入力キーを有するキーやポインティングデバイス等を備え、キーから入力されたキー入力情報や、ポインティングデバイスに入力された情報を操作情報として制御部１０に出力する。
また、本実施の形態１における操作部１３は、第２無線通信装置２と第１無線部１４との接続の切断を承認することを示す切断承認指示の入力を受け付ける第１入力部として機能する。切断承認指示は、無線ＬＡＮ接続中断画面上のＯＫキーや操作部１３が備えるキー等、当該切断承認指示に対応付けられたキーが押下されることにより入力される。
【００３５】
第１無線部１４は、ＩＥＥＥ８０２．１１による無線ＬＡＮにより第２無線通信装置又は端末装置３と無線通信を行う。
図３に、第１無線部１４の内部構成を示す。
図３に示す第１無線部１４は、変調部１４１、拡散変調部１４２、逆拡散部１４３、復調部１４４、アンテナ１４５を備える。
【００３６】
変調部１４１は、ＩＥＥＥ８０２．１１の規格に応じた変調方式の回路であり、送信するデータの位相を変調する。拡散変調部１４２は、ＩＥＥＥ８０２．１１の規格に応じた拡散方式（ＤＳＳＳ（Direct Sequence-Spread Spectrum）、ＯＦＤＭ（Orthogonal Frequency Division Multiplexing）等）で送信するデータの周波数を変調する。逆拡散部１４３は、受信したデータの周波数を逆拡散する。復調部１４４は、ＩＥＥＥ８０２．１１の規格に応じた復調方式の回路であり、受信したデータの位相を逆変調（復調）する。
【００３７】
第２無線部１５は、ＮＦＣにより第２無線通信装置２と近距離無線通信を行う。
図４に、第２無線部１５の内部構成を示す。
図４に示す第２無線部１５は、ＢＰＳＫ（Binary Phase Shift Keying）変調部１５１、ＡＳＫ（Amplitude Shift Keying）変調部１５２、ＡＳＫ復調部１５３、ＢＰＳＫ復調部１５４、アンテナ１５５を備える。
【００３８】
ＢＰＳＫ変調部１５１は、送信するデータの位相を変調する。ＡＳＫ変調部１５２は、送信するデータの振幅を変調する。ＡＳＫ復調部１５３は、受信したデータの振幅を復調する。ＢＰＳＫ復調部１５４は、受信したデータの位相を復調する。
なお、変調方式として、上記に限定されるもではなく、その他を利用することが可能である。
【００３９】
図５に、第２無線通信装置２の概略構成図を示す。
図５に示すように、第２無線通信装置２は、制御部２０、記憶部２１、表示部２２、操作部２３、第３無線部２４、第４無線部２５等を備え、各部が電気的に接続されている。
第２無線通信装置２は、第１無線通信装置１と略同様の構成を有しているため、異なる部分のみ説明する。
【００４０】
なお、第１無線通信装置１と第２無線通信装置２との両者を便宜上区別するため、第２無線通信装置２の各部の符号は第１無線通信装置１と異ならせている。
第３無線部２４は第１無線通信装置１の第１無線部１４、第４無線部２５は第１無線通信装置１の第２無線部１５、と同様の構成であるため図示及び説明は省略する。
【００４１】
制御部２０は、記憶部２１に記憶されているハンドオーバー処理プログラムや各種必要なデータ等をＲＯＭ又は記憶部２１から読み出し、ハンドオーバー処理を実行する。ハンドオーバー処理は、第２無線通信装置２が、第４無線部２５によりＮＦＣで第１無線通信装置１と近距離無線通信を行ない、その後、第１無線通信装置１との通信を、第３無線部２４による無線ＬＡＮでの無線通信に引き継いで行うものである。
【００４２】
本実施の形態１における制御部２０は、ハンドオーバー処理を実行する際に、第３無線部２４が端末装置３と無線ＬＡＮで接続している場合には、第３無線部２４が接続している端末装置３と無線ＬＡＮで接続するための接続情報（無線ＬＡＮ接続情報）を記憶部２１に記憶させた後、第１無線通信装置１との無線通信を第４無線部２５から第３無線部２４に引き継がせる。また、制御部２０は、ハンドオーバー処理により、第３無線部２４が第１無線通信装置との無線通信を行なっている際、第３無線部２４が第１無線通信装置１から第１切断情報を受信した場合には、第１無線通信装置１と第３無線部２４との接続を切断させ、記憶部２１に記憶されている接続情報に基づいて、第３無線部２４を端末装置３に接続させる第２制御部として機能する。
【００４３】
更に、制御部２０は、第３無線部２４が第１無線通信装置１から第１切断情報を受信していない場合において、第１無線通信装置１との通信状態に問題が発生（通信エラーが発生）した場合には、第１無線通信装置１との接続を切断することを示す第２切断情報を第１無線通信装置１へ送信させる。
【００４４】
通信エラーとしては、ＮＦＣによる近距離無線通信での接続状態が切断された場合と、無線ＬＡＮでの接続状態が切断された場合とがあり、いずれか一方が予め設定されている。
【００４５】
通信エラーとして、ＮＦＣによる近距離無線通信での接続状態が切断された場合が設定されている場合、制御部２０は、第１無線通信装置１との無線通信を第４無線部２５から第３無線部２４に引き継がせる際、第４無線部２５による第１無線通信装置１との近距離無線通信での接続状態を継続させる。そして、制御部２０は、第４無線部２５による第１無線通信装置１との近距離無線通信が切断状態となった場合には、通信エラーの発生と判別する。
【００４６】
通信エラーとして、無線ＬＡＮでの接続状態が切断された場合が設定されている場合、制御部２０は、第３無線部２４による第１無線通信装置１との無線通信が切断状態となった場合には、通信エラーの発生と判別する。
【００４７】
また、本実施の形態１における表示部２２は、制御部２０からの指示に従って、無線ＬＡＮ切断画面を表示する第２表示部として機能する。無線ＬＡＮ切断画面には、第１無線通信装置１と第３無線部２４との接続が切断されたことを示す第２切断報知情報が表示される。
【００４８】
また、本実施の形態１における操作部２３は、第１無線通信装置１と第３無線部２４との接続が切断されたことをユーザが確認したことを示す切断確認指示の入力を受け付ける第２入力部として機能する。切断確認指示は、無線ＬＡＮ接続中断画面上のＯＫキーや操作部２３が備えるキー等、当該第２切断指示に対応付けられたキーが押下されることにより入力される。
【００４９】
次に、図６、７を参照して本実施の形態１の動作を説明する。
図６、７に示すハンドオーバー処理の初期状態として、第２無線通信装置２は、第３無線部２４により無線ＬＡＮで端末装置３と接続されており、端末装置３が存在しているネットワークに参加しているものとする。
【００５０】
図６に、本実施の形態１の第１無線通信装置１において実行されるハンドオーバー処理のフローチャートを示す。なお、図６に示す処理は、第１無線通信装置１内の制御部１０と各部との協働により実行されるものである。
【００５１】
制御部１０は、ＮＦＣを用いた近距離無線通信を開始するか否かを判別する（ステップＳ１）。ステップＳ１では、第１無線通信装置１が第２無線通信装置２に近づき、第１無線通信装置１の第２無線部１５から送信されたポーリングデータに対する応答データが、当該第２無線部１５により受信されたか否かが判別される。
【００５２】
ＮＦＣを用いた近距離無線通信を開始しない場合（ステップＳ１；ＮＯ）、制御部１０は、ステップＳ１の処理に戻る。ＮＦＣを用いた近距離無線通信を開始する場合（ステップＳ１；ＹＥＳ）、制御部１０は、第２無線部１５でＮＥＣを用いた近距離無線通信を確立させ、第２無線通信装置２とデータ通信を行わせる（ステップＳ２）。
【００５３】
制御部１０は、ステップＳ２のデータ通信の解析の結果、第２無線通信装置２との無線通信を、第１無線部１４による無線通信に引き継ぐ（ハンドオーバーを行なう）か否かを判別し（ステップＳ３）、ハンドオーバーを行なわない場合（ステップＳ３；ＮＯ）、ステップＳ１の処理に戻る。
【００５４】
ハンドオーバーを行なう場合（ステップＳ３；ＹＥＳ）、制御部１０は、第１無線部１４の電源をＯＮして起動させ（ステップＳ４）、第１無線部１４を無線ＬＡＮで第２無線通信装置２と接続させ（ステップＳ５）、表示部１２に無線ＬＡＮで第２無線通信装置２と接続中である旨を表示させる（ステップＳ６）。
そして、制御部１０は、第１無線部１４により無線ＬＡＮで第２無線通信装置２とデータ通信を行わせる（ステップＳ７）。
【００５５】
制御部１０は、第２無線通信装置２へ送信すべき全データの送信が完了したか否かを判別する（ステップＳ８）。全データの送信が完了した場合（ステップＳ８；ＹＥＳ）、制御部１０は、第１切断情報を第１無線部１４により無線ＬＡＮで第２無線通信装置２へ送信させる（ステップＳ９）。
【００５６】
全データの送信が完了していない場合（ステップＳ８；ＮＯ）、制御部１０は、第１無線部１４又は第２無線部１５から第２切断情報を受信したか否かを判別する（ステップＳ１０）。第２切断情報を受信した場合（ステップＳ１０；ＹＥＳ）、制御部１０は、ステップＳ１２に進む。
【００５７】
第２切断情報を受信していない場合（ステップＳ１０；ＮＯ）、制御部１０は、第１無線部１４での第２無線通信装置２との無線ＬＡＮの通信が切断状態であるか否かを判別する（ステップＳ１１）。第１無線部１４での第２無線通信装置２との無線ＬＡＮの通信が切断状態である場合（ステップＳ１１；ＹＥＳ）、制御部１０は、ステップＳ１２に進む。第１無線部１４での第２無線通信装置２との無線ＬＡＮの通信が切断状態でない場合（ステップＳ１１；ＮＯ）、制御部１０は、ステップＳ７に戻る。
【００５８】
ステップＳ９後、ステップＳ１０；ＹＥＳ後、又は、ステップＳ１１；ＹＥＳ後、制御部１０は、表示部１２に、無線ＬＡＮ接続中断画面を表示させ（ステップＳ１２）、操作部１３から切断承認指示が入力されたか否かを判別する（ステップＳ１３）。
【００５９】
切断承認指示が入力されていない場合（ステップＳ１３；ＮＯ）、制御部１０は、ステップＳ１３の処理に戻る。切断承認指示が入力された場合（ステップＳ１３；ＹＥＳ）、制御部１０は、第１無線部１４による無線ＬＡＮでの通信を切断させ（ステップＳ１４）、第１無線部１４を停止させて第１無線部１４の電源をＯＦＦし（ステップＳ１５）、ステップＳ１の処理に戻る。
【００６０】
図７に、本実施の形態１の第２無線通信装置２において実行されるハンドオーバー処理のフローチャートを示す。なお、図７に示す処理は、第２無線通信装置２内の制御部２０と各部との協働により実行されるものである。
【００６１】
制御部２０は、第３無線部２４により無線ＬＡＮで端末装置３と接続中であるため（ステップＳ２１）、表示部２２に無線ＬＡＮで端末装置３と接続中である旨を表示させる（ステップＳ２２）。
【００６２】
制御部２０は、ＮＦＣを用いた近距離無線通信を開始するか否かを判別する（ステップＳ２３）。ステップＳ２３では、第１無線通信装置１が第２無線通信装置２に近づき、第１無線通信装置１の第２無線部１５から送信されたポーリングデータが第２無線通信装置２の第４無線部２５により受信されたか否かが判別される。
【００６３】
ＮＦＣを用いた近距離無線通信を開始しない場合（ステップＳ２３；ＮＯ）、制御部２０は、ステップＳ２３の処理に戻る。ＮＦＣを用いた近距離無線通信を開始する場合（ステップＳ２３；ＹＥＳ）、制御部２０は、第４無線部２５でＮＥＣによる近距離無線通信を確立させ、第１無線通信装置１とデータ通信を行わせる（ステップＳ２４）。
【００６４】
ステップＳ２４では、例えば、第４無線部２５がポーリングデータを受信した場合（ステップＳ２３；ＹＥＳ）、当該ポーリングデータに対する応答データが第４無線部２５により第１無線通信装置１に送信される。そして、ＮＦＣによる近距離無通信にて、第２無線通信装置２と第１無線通信装置１との相互認証等が行なわれて通信が確立され、データ通信が実行される。
【００６５】
制御部２０は、ステップＳ２４のデータ通信の解析の結果、第１無線通信装置１との無線通信を、第３無線部２４による無線通信に引き継ぐ（ハンドオーバーを行なう）か否かを判別し（ステップＳ２５）、ハンドオーバーを行なわない場合（ステップＳ２５；ＮＯ）、ステップＳ２３の処理に戻る。
【００６６】
ハンドオーバーを行なう場合（ステップＳ２５；ＹＥＳ）、制御部２０は、無線ＬＡＮ接続情報を記憶部２１に記憶させる（ステップＳ２６）。無線ＬＡＮ接続情報としては、第３無線部２４が接続している端末装置３のアドレス、アカウント、通信プロトコル等である。
【００６７】
制御部２０は、第４無線部２５による第１無線通信装置１との近距離無線通信での接続状態を継続させる（ステップＳ２７）。ステップＳ２７以降、制御部２０は、定期的に第１無線通信装置１に対してポーリングを行ない、ポーリングに対する応答があるか否かを判別するものとする。
【００６８】
そして制御部２０は、第３無線部２４に対して端末装置３との無線通信を切断させる（ステップＳ２８）。
【００６９】
制御部２０は、第３無線部２４を無線ＬＡＮで第１無線通信装置１と接続させ（ステップＳ２９）、表示部２２に無線ＬＡＮで第１無線通信装置１と接続中である旨を表示させ（ステップＳ３０）、第３無線部２４により無線ＬＡＮで第１無線通信装置１とデータ通信を行わせる（ステップＳ３１）。
【００７０】
制御部２０は、第３無線部２４から第１切断情報を受信したか否かを判別し（ステップＳ３２）、第１切断情報を受信した場合（ステップＳ３２；ＹＥＳ）、制御部２０は、ステップＳ３５に進む。
【００７１】
第１切断情報を受信していない場合（ステップＳ３２；ＮＯ）、制御部２０は、通信エラーが発生しているか否かを判別する（ステップＳ３３）。
【００７２】
ステップＳ３３では、ＮＦＣによる近距離無線通信での接続状態が切断された場合と無線ＬＡＮでの接続状態が切断された場合とのいずれか一方の条件が予め設定されており、この設定された条件に該当するか否かが判別される。
【００７３】
例えば、ＮＦＣによる近距離無線通信での接続状態が切断された場合が設定されている際には、ステップＳ３３において、第４無線部２５による第１無線通信装置１との近距離無線通信が切断状態（ポーリングに対する応答が無い状態）となったか否かが判別される。
また、無線ＬＡＮでの接続状態が切断された場合が設定されている際には、ステップＳ３３において、第３無線部２４による第１無線通信装置１との無線通信が切断状態となったか否かが判別される。
【００７４】
通信エラーが発生していない場合（ステップＳ３３；ＮＯ）、制御部２０は、ステップＳ３１に戻る。通信エラーが発生した場合（ステップＳ３３；ＹＥＳ）、第２切断情報を、第３無線部２４又は第４無線部２５により第１無線通信装置へ送信させる（ステップＳ３４）。
【００７５】
ステップＳ３２；ＹＥＳ後、又は、ステップＳ３４後、制御部２０は、第３無線部２４に対して第１無線通信装置１との無線ＬＡＮでの通信を切断させる（ステップＳ３５）。
【００７６】
制御部２０は、表示部２２に、無線ＬＡＮ切断画面を表示させ（ステップＳ３６）、操作部２３から切断確認指示が入力されたか否かを判別する（ステップＳ３７）。
【００７７】
切断確認指示が入力されていない場合（ステップＳ３７；ＮＯ）、制御部２０は、ステップＳ３７の処理に戻る。切断確認指示が入力された場合（ステップＳ３７；ＹＥＳ）、制御部２０は、記憶部２１から無線ＬＡＮ接続情報を読み出し、再度、第３無線部２４を無線ＬＡＮで端末装置３に接続させ（ステップＳ３８）、ステップＳ２２に戻る。
【００７８】
以上のように、本実施の形態１によれば、近距離無線通信を行った後に無線ＬＡＮに引き継いで通信を行う際（ハンドオーバーする場合）、第２無線通信装置２が無線ＬＡＮで端末装置３と通信を行っている場合には、第１無線通信装置１と第２無線通信装置２とがハンドオーバーして所定の処理が完了した後に、第２無線通信装置２が端末装置３と再度接続される。
そのため、ユーザの手を煩わせずことなく第２無線通信装置２を、ハンドオーバー実行後にハンドオーバー実行前の状態に戻すことができ、使い勝手を向上することができる。
従って、ハンドオーバー実行による無線通信装置の操作性を向上させることができる。
【００７９】
本実施の形態１では、第１無線通信装置から第２無線通信装置へ送信すべき予め設定されたデータの送信処理が完了した後、第２無線通信装置を端末装置と再度接続させることができる。
【００８０】
更に、第１無線通信装置１と第２無線通信装置２との通信状態に問題が発生した場合（通信エラーが発生の場合）、１無線通信装置と第２無線通信装置とが所定の処理が完了していなくとも、第２無線通信装置と第１無線通信装置との接続を切断させ、第２無線通信装置を再度、端末装置に接続させることができる。
【００８１】
特に、通信エラーが発生した場合として、第１無線通信装置１と第２無線通信装置２との近距離無線通信での通信が切断状態となった場合を用いることができる。即ち、第１無線通信装置１又は第２無線通信装置２が互いの近距離無線通信領域以外の領域に移動した場合等を、通信エラーとして設定することができる。
【００８２】
また、通信エラーが発生した場合として、第１無線通信装置１と第２無線通信装置２との無線ＬＡＮでの通信が切断状態となった場合を用いることができる。即ち、第１無線通信装置１及び第２無線通信装置２の無線ＬＡＮの通信経路上に妨害電波や雑音の発生したことによる無線ＬＡＮでの通信の接続が途絶えてしまった場合等を、通信エラーとすることができる。
【００８３】
更に、第１無線通信装置１において、第２無線通信装置２との接続を切断させる際、第２無線通信装置２との接続の切断の承認が得られた場合、第２無線通信装置２との接続を切断することができる。
【００８４】
また、第２無線通信装置２において、第１無線通信装置１との接続を切断した際、第１無線通信装置１との無線ＬＡＮでの接続が切断されたことがユーザに確認された場合に、端末装置３と再度接続することができる。
【００８５】
［実施の形態２］
まず、構成を説明する。
本実施の形態２における無線通信システムの概略構成は、図１に示す実施の形態１における無線通信システムの概略構成と同様であるため、図示及び説明は省略する。
【００８６】
本実施の形態２における第１無線通信装置１の概略構成は、実施の形態１と同様であるため、図示は省略し、異なる部分のみ説明する。
【００８７】
本実施の形態２における制御部１０は、実施の形態１と同様のハンドオーバー処理を行うと共に、第１無線部１４が第２無線通信装置２から第１接続可能時間を受信した場合、第１接続可能時間の計時を開始する。そして、制御部１０は、第１無線部により第２無線通信装置２と無線ＬＡＮで通信を行なっている際に、第１接続可能時間が経過した場合には、所定の処理が完了したと判別し、第１切断情報を第１無線部１４から第２無線通信装置２へ送信させ、当該第２無線通信装置２と第１無線部１４との接続を切断させる。
【００８８】
本実施の形態２における第２無線通信装置２の概略構成は、実施の形態１と同様であるため、図示は省略し、異なる部分のみ説明する。
【００８９】
本実施の形態２における制御部２０は、実施の形態１と同様のハンドオーバー処理を行うと共に、第１無線通信装置１との無線通信を第４無線部２５から第３無線部２４に引き継がせた後、第１接続可能時間を第３無線部２４から第１無線通信装置１に送信させる。
【００９０】
第１接続可能時間は、第１無線通信装置１と第３無線部２４とが接続可能な予め定められた時間であり、記憶部２１に予め記憶されている。
【００９１】
また、本実施の形態２における第１切断情報は、第１無線通信装置１が第２無線通信装置２へ送信すべき予め設定されたデータの送信処理が完了した場合、又は、第１接続可能時間が経過した場合に受信するものである。
【００９２】
次に、図８、９を参照して本実施の形態２の動作を説明する。
図８、９に示すハンドオーバー処理の初期状態として、第２無線通信装置２は、第３無線部２４により無線ＬＡＮで端末装置３と接続されており、端末装置３が存在しているネットワークに参加しているものとする。
【００９３】
図８に、本実施の形態２の第１無線通信装置１において実行されるハンドオーバー処理のフローチャートを示す。なお、図８に示す処理は、第１無線通信装置１内の制御部１０と各部との協働により実行されるものである。
【００９４】
ステップＳ４１〜ステップＳ４６は、図６に示す実施の形態１のステップＳ１〜ステップＳ６と同様であるため、説明は省略する。
【００９５】
制御部１０は、第１無線部１４が第２無線通信装置２から第１接続可能時間を受信すると（ステップＳ４７）、制御部１０内に設けられた切断用タイマーに第１接続可能時間をセットし、第１接続可能時間の計時を開始（タイマスタート）する（ステップＳ４８）。
そして、制御部１０は、第１無線部１４により無線ＬＡＮで第２無線通信装置２とデータ通信を行わせる（ステップＳ４９）。
【００９６】
制御部１０は、第２無線通信装置２へ送信すべき全データの送信が完了したか否かを判別する（ステップＳ５０）。全データの送信が完了した場合（ステップＳ５０；ＹＥＳ）、制御部１０は、第１切断情報を第１無線部１４により無線ＬＡＮで第２無線通信装置２へ送信させる（ステップＳ５１）。
【００９７】
全データの送信が完了していない場合（ステップＳ５０；ＮＯ）、制御部１０は、切断用タイマーによる計時時間が、第１接続可能時間を経過したか否かを判別する（ステップＳ５２）。第１接続可能時間が経過した場合（ステップＳ５２；ＹＥＳ）、制御部１０は、ステップＳ５１に進む。
【００９８】
即ち、実施の形態２の第１切断情報は、全データが送信完了した場合（ステップＳ５０；ＹＥＳ）、又は、第１接続可能時間が経過した場合（ステップＳ５２；ＹＥＳ）に、送信されることとなる。
【００９９】
第１接続可能時間が経過していない場合（ステップＳ５２；ＮＯ）、制御部１０は、ステップＳ５３に進む。なお、ステップＳ５３〜ステップＳ５８は、図６に示す実施の形態１のステップＳ１０〜ステップＳ１５と同様であるため、説明は省略する。
【０１００】
図９に、本実施の形態２の第２無線通信装置２において実行されるハンドオーバー処理のフローチャートを示す。なお、図９に示す処理は、第２無線通信装置２内の制御部２０と各部との協働により実行されるものである。
【０１０１】
ステップＳ６１〜ステップＳ７０は、図７に示す実施の形態１のステップＳ２１〜ステップＳ３０と同様であるため、説明は省略する。
【０１０２】
制御部２０は、第１無線通信装置１との無線通信を第４無線部２５から第３無線部２４に引き継がせた後のステップＳ７０後、記憶部２１から第１接続可能時間を読み出して、当該第１接続可能時間を第３無線部２４から第１無線通信装置１に送信させる（ステップＳ７１）。
【０１０３】
ステップＳ７２〜ステップＳ７９は、ステップＳ７３において受信の判別がされる第１切断情報が、第１無線通信装置１が第２無線通信装置２へ送信すべき予め設定されたデータの送信処理が完了した場合、又は、第１接続可能時間が経過した場合に送信したものであることを除いて、図７に示す実施の形態１のステップＳ３１〜ステップＳ３８と同様であるため、説明は省略する。
【０１０４】
なお、本実施の形態２では、第１接続可能時間を第２無線通信装置が第１無線通信装置に送信し、第１無線通信装置が受信した第１接続可能時間を計時する処理としているが、これに限らない。例えば、第１接続可能時間を第１無線通信装置が第２無線通信装置に送信し、第２無線通信装置が受信した第１接続可能時間を計時する処理としてもよく、一方の無線通信装置が他方の無線通信装置に第１接続可能時間を送信し、第１接続可能時間を受信した他方の無線通信装置が計時する処理であればよい。
【０１０５】
以上のように、本実施の形態２によれば、実施の形態１と同様の効果を得られるのは勿論のこと、第１無線通信装置１が、無線ＬＡＮの通信を行う第２無線通信装置２から第１接続可能時間を受信し、第１無線通信装置１による計時が第１接続可能時間を経過した場合、第２無線通信装置２を端末装置３と再度接続させることができる。
即ち、第２無線通信装置２が第１無線通信装置１と接続可能な時間（第１接続可能時間）を、第２無線通信装置２の無線ＬＡＮの通信相手である第１無線通信装置１が計時する。そのため、第１無線通信装置１が第２無線通信装置２の第１接続可能時間を把握した上で、第２無線通信装置２を端末装置３と再度接続させることができる。
【０１０６】
［実施の形態３］
まず、構成を説明する。
本実施の形態３における無線通信システムの概略構成は、図１に示す実施の形態１における無線通信システムの概略構成と同様であるため、図示及び説明は省略する。
【０１０７】
本実施の形態３における第１無線通信装置１の概略構成は、実施の形態１と同様であるため、図示は省略し、異なる部分のみ説明する。
【０１０８】
本実施の形態３における制御部１０は、実施の形態１と同様のハンドオーバー処理を行うと共に、第２無線通信装置２との無線通信を第２無線部１５から第１無線部１４に引き継がせた後、第２接続可能時間の計時を開始する。そして、制御部１０は、第１無線部により第２無線通信装置２と無線ＬＡＮで通信を行なっている際に、第２接続可能時間が経過した場合には、所定の処理が完了したと判別し、第１切断情報を第１無線部１４から第２無線通信装置２へ送信させ、当該第２無線通信装置２と第１無線部１４との接続を切断させる。
【０１０９】
第２接続可能時間は、第１無線部１４が第２無線通信装置２と接続可能な予め定められた時間であり、記憶部１１にあらかじめ記憶されている。
【０１１０】
本実施の形態３における第２無線通信装置２の概略構成は、実施の形態１と同様であるため、図示は省略し、異なる部分のみ説明する。
【０１１１】
本実施の形態３における制御部２０は、実施の形態１と同様のハンドオーバー処理を行う。但し、本実施の形態３における第１切断情報は、第１無線通信装置１が第２無線通信装置２へ送信すべき予め設定されたデータの送信処理が完了した場合、又は、第１接続可能時間が経過した場合に受信するものである。
【０１１２】
次に、図１０を参照して本実施の形態３の動作を説明する。
図１０に示すハンドオーバー処理の初期状態として、第２無線通信装置２は、第３無線部２４により無線ＬＡＮで端末装置３と接続されており、端末装置３が存在しているネットワークに参加しているものとする。
【０１１３】
図１０に、本実施の形態３の第１無線通信装置１において実行されるハンドオーバー処理のフローチャートを示す。なお、図１０に示す処理は、第１無線通信装置１内の制御部１０と各部との協働により実行されるものである。
【０１１４】
ステップＳ８１〜ステップＳ８６は、図６に示す実施の形態１のステップＳ１〜ステップＳ６と同様であるため、説明は省略する。
【０１１５】
制御部１０は、記憶部２１から第２接続可能時間を読み出し、制御部１０内に設けられた切断用タイマーに第２接続可能時間をセットして第２接続可能時間の計時を開始（タイマスタート）する（ステップＳ８７）。
そして、制御部１０は、第１無線部１４により無線ＬＡＮで第２無線通信装置２とデータ通信を行わせる（ステップＳ８８）。
【０１１６】
制御部１０は、第２無線通信装置２へ送信すべき全データの送信が完了したか否かを判別する（ステップＳ８９）。全データの送信が完了した場合（ステップＳ８９；ＹＥＳ）、制御部１０は、第１切断情報を第１無線部１４により無線ＬＡＮで第２無線通信装置２へ送信させる（ステップＳ９０）。
【０１１７】
全データの送信が完了していない場合（ステップＳ８９；ＮＯ）、制御部１０は、切断用タイマーによる計時時間が、第２接続可能時間を経過したか否かを判別する（ステップＳ９１）。第２接続可能時間が経過した場合（ステップＳ９１；ＹＥＳ）、制御部１０は、ステップＳ９０に進む。
【０１１８】
即ち、実施の形態３の第１切断情報は、全データが送信完了した場合（ステップＳ８９；ＹＥＳ）、又は、第２接続可能時間が経過した場合（ステップＳ９１；ＹＥＳ）に、送信されることとなる。
【０１１９】
第２接続可能時間が経過していない場合（ステップＳ９１；ＮＯ）、制御部１０は、ステップＳ９２に進む。なお、ステップＳ９２〜ステップＳ９７は、図６に示す実施の形態１のステップＳ１０〜ステップＳ１５と同様であるため、説明は省略する。
【０１２０】
本実施の形態３の第２無線通信装置２において実行されるハンドオーバー処理は、図７に示す実施の形態１のステップＳ３２を除くステップＳ２１〜ステップＳ３８と同様であるため、図示及び説明は省略する。
本実施の形態３では、ステップＳ３２において、受信の判別がされる第１切断情報が、第１無線通信装置１が第２無線通信装置２へ送信すべき予め設定されたデータの送信処理が完了した場合、又は、第１接続可能時間が経過した場合に送信したものである。
【０１２１】
なお、本実施の形態３では、第２接続可能時間を第１無線通信装置が計時する処理としているが、これに限らない。例えば、第２接続可能時間を第２無線通信装置が計時する処理としてもよく、少なくともいずれか一方の無線通信装置が第２接続可能時間を計時する処理であればよい。
第２接続可能時間を第１無線通信装置及び第２無線通信装置双方がそれぞれ計時する場合には、第２接続可能時間は異なっていてもよい。この場合、第２接続可能時間が経過した際に第１切断情報がそれぞれ送信されるが、先に送信された第１切断情報に基づいて、後の処理が実行される。
【０１２２】
以上のように、本実施の形態３によれば、実施の形態１と同様の効果を得られるのは勿論のこと、第１無線通信装置１が第２接続可能時間を経過した場合、第２無線通信装置２を端末装置３と再度接続させることができる。
即ち、第１無線通信装置１が第２無線通信装置２と接続可能な時間（第２接続可能時間）を、第１無線通信装置１自身が計時する。そのため、第１無線通信装置１自身の第２接続可能時間に応じて、第２無線通信装置２を端末装置３と再度接続させることができる。
【符号の説明】
【０１２３】
１  第１無線通信装置
２  第２無線通信装置
３  端末装置
１０  制御部
１１  記憶部
１２  表示部
１３  操作部
１４  第１無線部
１４１  変調部
１４２  拡散変調部
１４３  逆拡散部
１４４  復調部
１４５  アンテナ
１５  第２無線部
１５１  ＢＰＳＫ変調部
１５２  ＡＳＫ変調部
１５３  ＡＳＫ復調部
１５４  ＢＰＳＫ変調部
１５５  アンテナ
２０  制御部
２１  記憶部
２２  表示部
２３  操作部
２４  第３無線部
２５  第４無線部
Ａ  無線通信システム
【図１】
2010283485.tif 000003
【図２】
2010283485.tif 000004
【図３】
2010283485.tif 000005
【図４】
2010283485.tif 000006
【図５】
2010283485.tif 000007
【図６】
2010283485.tif 000008
【図７】
2010283485.tif 000009
【図８】
2010283485.tif 000010
【図９】
2010283485.tif 000011
【図１０】
2010283485.tif 000012
【手続補正書】
【提出日】平成22年6月23日(2010.6.23)
【手続補正１】
【補正対象書類名】明細書
【補正対象項目名】０００４
【補正方法】変更
【補正の内容】
【０００４】
また、ＨＤ（Hard Disk）レコーダが、中継器を介してＴＶ（television）からＮＦＣ通信によってＴＶの通信機能リストを取得する。そして、ＨＤレコーダが、通信機能リストを基にＮＦＣ通信以外の通信手段でコンテンツデータの要求をＴＶに送信する。ＴＶが、ＨＤレコーダの認証後、コンテンツデータをコンテンツデータの要求がなされたのと同一の通信手段で送信する、という通信システムが開示されている（特許文献２参照）。
【手続補正２】
【補正対象書類名】明細書
【補正対象項目名】０００５
【補正方法】変更
【補正の内容】
【０００５】
【特許文献１】特開２００７−７４５９８号公報
【特許文献２】特開２００７−９７０２２号公報
【手続補正３】
【補正対象書類名】明細書
【補正対象項目名】００２３
【補正方法】変更
【補正の内容】
【００２３】
本実施の形態における第１無線通信装置１及び第２無線通信装置２は、第１無線通信装置１と第２無線通信装置２との間でＮＦＣ（Near Field Communication）による近距離無線通信やＩＥＥＥ８０２．１１による無線ＬＡＮ（Local Area Network）で無線通信を行う機能を有する。また、本実施の形態において、端末装置３は、ネットワーク中に存在する無線アクセスポイントとし、無線ＬＡＮを介して第１無線通信装置１又は第２無線通信装置と接続される。
【手続補正４】
【補正対象書類名】明細書
【補正対象項目名】００３１
【補正方法】変更
【補正の内容】
【００３１】
更に制御部１０は、ハンドオーバー処理において、第２無線通信装置２と第１無線部１４との接続を切断させる際、表示部１２に後述する第１切断報知情報を表示させ、操作部１３により後述する切断承認指示が入力された場合には、当該第２無線通信装置と前記第１無線部との接続を切断させる。
【手続補正５】
【補正対象書類名】明細書
【補正対象項目名】００４８
【補正方法】変更
【補正の内容】
【００４８】
また、本実施の形態１における操作部２３は、第１無線通信装置１と第３無線部２４との接続が切断されたことをユーザが確認したことを示す切断確認指示の入力を受け付ける第２入力部として機能する。切断確認指示は、無線ＬＡＮ接続中断画面上のＯＫキーや操作部２３が備えるキー等、当該切断確認指示に対応付けられたキーが押下されることにより入力される。